(57)【特許請求の範囲】
【請求項１】
釣り糸を前方に繰り出し可能な釣り用リールであって、
リール本体と、
前記リール本体に回転自在に設けられるハンドルと、
前記ハンドルの回転に連動して少なくとも糸巻き取り方向に回転する回転体と、
糸巻用のスプールと、
所定時間間隔を報知動作可能な報知部と、
前記ハンドルの前記糸巻き取り方向の回転を検出して信号を出力する回転検出部と、
前記回転検出部の出力を受けて、前記所定時間間隔で前記報知部の前記報知動作を開始させる制御部と、
前記回転検出部によって検出された前記回転体の所定位置からの回転数によって前記スプールの糸巻径を算出する糸巻径算出部と、
を備え、
前記制御部は、前記糸巻径算出部で算出された糸巻径に応じて、前記所定時間間隔を変更する、釣り用リール。
【請求項２】
前記釣り用リールは、両軸受リールであり、
前記回転体は、前記スプールである、請求項１に記載の釣り用リール。
【請求項３】
前記釣り用リールは、スピニングリールであり、
前記回転体は、前記スプールに前記釣り糸を巻き付け可能なロータである、請求項１に記載の釣り用リール。
【請求項４】
前記報知部は、音による前記報知動作を行い、
前記制御部は、前記ハンドルが回転すると前記報知部を前記所定時間間隔で発音させる、請求項１から３のいずれか１項に記載の釣り用リール。
【請求項５】
前記報知部は、光による前記報知動作を行い、
前記制御部は、前記ハンドルが回転すると前記報知部を前記所定時間間隔で発光させる、請求項１から３のいずれか１項に記載の釣り用リール。
【請求項６】
前記釣り糸の先端の水深を表示可能な水深表示部と、
前記糸巻径算出部で算出された糸巻径の時間変化によって、前記釣り糸の巻き上げ速度を算出する巻き上げ速度算出部をさらに備え、
前記回転体が前記糸巻き取り方向に回転するとき、前記制御部は、前記水深表示部に、前記水深の表示に代えて前記巻き上げ速度を表示する、請求項５に記載の釣り用リール。
【請求項７】
前記制御部は、前記所定時間間隔を複数に分割した補助時間間隔で、前記報知部を前記報知動作と異なる補助報知動作させる、請求項１から６のいずれか１項に記載の釣り用リール。
【請求項８】
前記補助報知動作は、前記報知動作よりも弱い、請求項７に記載の釣り用リール。
【請求項９】
前記所定時間間隔を設定可能な間隔設定部をさらに備える、請求項１から８のいずれか１項に記載の釣り用リール。
【請求項１０】
前記制御部は、前記報知部を前記報知動作させた状態で前記ハンドルが所定時間以上回転停止したとき、前記報知動作を停止させる、請求項１から９のいずれか１項に記載の釣り用リール。
【発明の詳細な説明】
【技術分野】
【０００１】
本発明は、リール、特に、釣り糸を前方に繰り出し可能な両軸受リールに関する。
【背景技術】
【０００２】
手巻きの釣り用リールでは、ハンドルを糸巻き取り方向に回転させて釣り糸を巻き取る。この巻取時に巻き上げ速度が変動すると、針から魚が外れる等の不具合が発生し、釣果に影響を与えるおそれがある。また、いわゆる「鯛ラバ釣」等と呼ばれる、疑似餌を用いた釣法では一定速度を保てないと釣果が上がらないと言われている。そこで、巻き上げ速度の目安を音で報知するペースメーカーが従来知られている。従来のペースメーカーは、釣り竿に装着され、開始ボタンをオンすると、所定時間間隔でランプを点灯するとともにアラームが作動する。これによって、釣り人は、所定時間間隔でハンドルを回しやすくなる。
【先行技術文献】
【特許文献】
【０００３】
【特許文献１】特開平３−１３８５９７号公報
【発明の概要】
【発明が解決しようとする課題】
【０００４】
従来のペースメーカーでは、ペースメーカーを釣り竿に装着し、さらに開始ボタンを操作しないと、所定時間間隔ごとに報知動作を行えない。しかも、繰り出しのときにはオフ操作を行い、巻き取り開始ごとに開始ボタンを操作しなければならず操作が煩わしい。
【０００５】
本発明の課題は、釣りを行う場合の所定時間間隔の報知動作を容易に開始できるようにすることにある。
【課題を解決するための手段】
【０００６】
本発明に係る釣り用リールは、釣り糸を前方に繰り出し可能なリールである。釣り用リールは、リール本体と、ハンドルと、回転体と、糸巻用のスプールと、報知部と、回転検出部と、制御部と、を備える。ハンドルは、リール本体に回転自在に設けられる。回転体は、ハンドルの回転に連動して少なくとも糸巻き取り方向に回転する。報知部は、所定時間間隔を報知動作可能である。回転検出部は、ハンドルの糸巻き取り方向の回転を検出して信号を出力する。制御部は、回転検出部の出力を受けて、所定時間間隔で報知部の報知動作を開始させる。
【０００７】
この釣り用リールでは、ハンドルが糸巻き取り方向に回転すると回転体が回転し、釣り糸がスプールに巻き取られる。ハンドルが糸巻き取り方向に回転すると、回転検出部がハンドルの糸巻き取り方向の回転を検出して信号を出力する。制御部は、回転検出部がハンドルの糸巻き取り方向の回転を検出すると、報知部の所定時間間隔の報知動作を開始させる。ここでは、ハンドルの糸巻き取り動作に連動して、所定時間間隔の報知動作が開始されるので、報知開始のための操作が不要になり、釣りを行う場合の所定時間間隔の報知動作を容易に開始できるようになる。
【０００８】
釣り用リールは、両軸受リールであり、回転体は、スプールであってもよい。この場合には、両軸受リールにおいて、釣りを行う場合の所定時間間隔の報知動作を容易に開始できるようになる。
【０００９】
釣り用リールは、スピニングリールであり、回転体は、スプールに釣り糸を巻き付け可能なロータであってもよい。この場合には、スピニングリールにおいて、釣りを行う場合の所定時間間隔の報知動作を容易に開始できるようになる。
【００１０】
報知部は、音による報知動作を行い、制御部は、ハンドルが回転すると報知部を所定時間間隔で発音させてもよい。この場合には、報知部を視認することなく音を聞くだけで所定時間間隔を認識できる。このため、釣り人が、例えば竿先を見ながら釣りを行え、所定時間間隔を報知しても釣りのじゃまにならない。
【００１１】
報知部は、光による報知動作を行い、制御部は、ハンドルが回転すると報知部を所定時間間隔で発光させてもよい。この場合には、周囲が騒がしい状況であっても釣り人が釣りをしながら所定時間間隔を認識できる。
【００１２】
釣り用リールは、回転体の回転を検出する回転検出部と、回転検出部によって検出された回転体の所定位置からの回転数によってスプールの糸巻径を算出する糸巻径算出部と、をさらに備えてもよい。制御部は、算出された糸巻径に応じて、所定時間間隔を変更してもよい。この場合には、糸巻径が変化して１回転あたりの釣り糸の長さが変化しても、それに応じて所定時間間隔が変化するので、釣り糸の巻き上げ速度を一定に保ちやすくなる。
【００１３】
釣り用リールは、釣り糸の先端の水深を表示可能な水深表示部と、糸巻径算出部で算出された糸巻径の時間変化によって、釣り糸の巻き上げ速度を算出する巻き上げ速度算出部をさらに備えてもよい。回転体が糸巻き取り方向に回転するとき、制御部は、水深表示部に、水深の表示に代えて巻き上げ速度を表示してもよい。この場合には、糸巻取方向に回転体が回転しているとき、巻き上げ速度が表示されるので、巻き上げ速度の適否を正確に判断できる。
【００１４】
制御部は、所定時間間隔を複数に分割した補助時間間隔で、報知部を報知動作と異なる補助報知動作させてもよい。この場合には、巻き上げ速度が遅く所定時間間隔が長くなっても、補助時間間隔を入れることによって報知間隔が短くなる。このため、タイミングを取りやすくなる。
【００１５】
補助報知動作は、報知動作よりも弱くてもよい。この場合には報知動作と補助報知動作とを容易に識別できるので、タイミングをさらに取りやすくなる。
【００１６】
釣り用リールは、所定時間間隔を設定可能な間隔設定部をさらに備えてもよい。この場合に獲物の種類及び釣りの仕方に応じて巻き上げ速度を調整できる。
【００１７】
制御部は、報知部を報知動作させた状態でハンドルが所定時間以上回転停止したとき、報知動作を停止させてもよい。この場合には、報知操作による電力消費を抑えることができる。
【発明の効果】
【００１８】
本発明によれば、釣りを行う場合の所定時間間隔の報知動作を容易に開始できるようになる。
【図面の簡単な説明】
【００１９】
【図１】本発明の第１実施形態による両軸受リールの斜視図。
【図２】両軸受リールの制御系の構成を示すブロック図。
【図３】水深表示部の構成を示す平面図。
【図４】制御部の制御動作の一例を示すフローチャート。
【図５】制御部の報知動作の一例を示すフローチャート。
【図６】第１実施形態の変形例の報知動作の一例を示すフローチャート。
【図７】報知動作時の時間間隔の変化の一例を示す模式図。
【図８】本発明の第２実施形態によるスピニングリールの側面一部断面図。
【図９】第２実施形態のスピニングリールの図２に相当するブロック図。
【発明を実施するための形態】
【００２０】
＜第１実施形態＞
本発明の第１実施形態による両軸受リール１０は、釣り糸を前方に繰り出し可能な釣り用リールである。なお、以下の説明において、「前」とは釣り糸を繰り出す方向を示し、具体的には図１左上方が「前」である。
【００２１】
両軸受リール１０は、図１に示すリール本体１２と、ハンドル１４と、スプール１６とを備える。また、両軸受リール１０は、図２に示す報知部１８と、制御部２０と、回転検出部２２と、糸巻径算出部２４と、水深算出部２６と、水深表示部２８と、巻き上げ速度算出部３０と、設定部３２と、を備える。回転検出部２２は、スプール１６の回転及びハンドル１４の回転を検出する。糸巻径算出部２４、水深算出部２６、及び巻き上げ速度算出部３０は、第１実施形態では、制御部２０においてソフトウェアによって実現される。しかし、これらをハードウェアによって実現してもよい。報知部１８は、所定時間間隔ＴＩを報知可能である。制御部２０は、ハンドル１４が糸巻き取り方向に回転すると、所定時間間隔ＴＩで報知部１８の報知動作を開始させる。設定部３２は、所定時間間隔ＴＩを設定する間隔設定部の一例である。
【００２２】
図１に示すように、リール本体１２は、前上部に第１カウンターユニット３４ａを有し、ハンドル１４と反対側のスプール１６との対向部に第２カウンターユニット３４ｂを有する。第１カウンターユニット３４ａは、報知部１８、制御部２０、水深表示部２８、設定部３２、及び記憶部３８を収納する。第２カウンターユニット３４ｂは、回転検出部２２及び電源３６を収納する。第１カウンターユニット３４ａと第２カウンターユニット３４ｂとは電気配線によって接続される。ハンドル１４は、左右に延びる軸回りにリール本体１２の側部の一方に回転自在に設けられる。ハンドル１４は、図示しない逆転防止機構によって糸繰り出し方向の回転が禁止され、糸巻取方向のみに回転する。
【００２３】
スプール１６は、糸巻用のものであり、ハンドル１４と平行な軸回りにリール本体１２に回転自在に支持される。スプール１６は、釣り糸が外周面に巻き付けられる糸巻き胴部１６ａと、糸巻き胴部１６ａの両側に大径に一体形成される一対のフランジ部１６ｂと、を有する。スプール１６は、ハンドル１４の回転に連動して少なくとも糸巻き取り方向に回転する回転体の一例である。したがって、第１実施形態では回転体とスプール１６とが同一である。スプール１６は、図示しないドラグ機構によって、糸繰り出し方向の回転が制動される。スプール１６には、図示しない回転伝達機構によって、ハンドル１４の回転が、例えば５倍から８倍に増速されて伝達される。スプール１６のハンドル１４と反対側のフランジ部１６ｂには、回転検出部２２によって検出される、図２に示す磁石２２ａが回転検出部２２と対向可能に設けられる。
【００２４】
報知部１８は、第１実施形態では、第１カウンターユニット３４ａ内に収納される発音するブザーを含む。報知部１８は、ブザーを用いて音による報知動作を行う。第１実施形態では、報知部１８は、ハンドル１４の糸巻き取り操作時、スプール１６の糸繰り出し時、及び、設定部３２による所定時間間隔ＴＩの設定時に報知動作する。
【００２５】
制御部２０は、報知部１８及び水深表示部２８を、設定部３２で設定された内容で制御する。制御部２０は、マイクロコンピュータを含み、ソフトウェアによって報知部１８及び水深表示部２８を制御する。制御部２０は、ソフトウェアによって実現される機能構成として、糸巻径算出部２４、水深算出部２６、及び巻き上げ速度算出部３０を有する。糸巻径算出部２４は、回転検出部２２によって検出されたスプール１６の所定位置からの回転数すなわち、例えば、釣り糸を巻き始めた位置（所定位置の一例）からスプール１６が何回転したかによって、スプール１６の糸巻径ＷＤを算出する。回転数と糸巻径ＷＤとの関係は、予め記憶部３８に記憶される。水深算出部２６は、水深表示部２８に表示する、仕掛けが配置された水深を、スプール１６から繰り出された糸長によって算出する。具体的には、記憶部３８に予め記憶された回転数と水深との関係から、スプール１６が所定位置から何回転したかを元に水深を算出する。巻き上げ速度算出部３０は、糸巻径算出部２４で算出された糸巻径ＷＤの時間変化によって、釣り糸の巻き上げ速度を算出する。なお、スプール１６の回転位置と糸巻径ＷＤ及び糸長との関係は、公知の学習処理によって獲得してもよい。
【００２６】
回転検出部２２は、前述したようにスプール１６に取り付けられた磁石２２ａを検出することによって、スプール１６の所定位置からの回転数、釣り糸の巻き上げ速度、仕掛けの水深、スプール１６の糸巻径ＷＤ、及びスプール１６の回転方向を得るために設けられる。また、回転検出部２２は、ハンドル１４が回転したか否かを検出するために設けられる。回転検出部２２は、磁石２２ａを検出可能なリードスイッチ又はホール素子を含む。第１実施形態では、回転検出部２２は、回転方向に並べて配置された２つのリードスイッチを含む。なお、ホール素子を用いた場合には、ホール素子は、出力の変化で回転方向も検出できるため、一つでよい。
【００２７】
水深表示部２８は、例えば、セグメント方式又はフルグラフィック表示可能な液晶ディスプレイを含む。第１実施形態では、安価なセグメント方式の液晶ディスプレイを含む。水深表示部２８は、図３に示すように、例えば３桁の７セグメントの数値表示部２８ａを有する。数値表示部２８ａは、数値、記号、及び一部のアルファベットを表示可能である。数値表示部２８ａは、第１実施形態では、図３（ａ）に示す水深表示のときには３桁の数値で仕掛けの水深を表示し、図３（ｂ）に示す巻き上げ速度の表示のときには、例えば、１桁の数値０−９の１０段階で巻き上げ速度を表示する。例えば、０段階では０−２０ｃｍ/秒未満、１段階では２０−４０ｃｍ/秒未満、２段階では４０−６０ｃｍ/秒未満、３段階では６０−８０ｃｍ/秒未満、４段階では８０−１００ｃｍ/秒未満、５段階では１００−１２０ｃｍ/秒未満、６段階では１２０−１４０ｃｍ/秒未満、７段階では１４０−１６０ｃｍ/秒未満、８段階では１６０−１８０ｃｍ/秒未満、９段階では１８０ｃｍ/秒以上の巻き上げ速度をそれぞれ表示する。
【００２８】
設定部３２は、例えば水深表示部２８の右側に配置された操作部材３２ａを有する。操作部材３２ａは、例えば押しボタンで構成される。この操作部材３２ａの、特殊な操作（例えば、長押し及びダブルクリックの操作）によって各種の設定操作を行える。第１実施形態では、報知動作以外の設定は長押しによって設定可能になり、報知動作はダブルクリックによって設定可能になる。この報知動作の設定可能状態で、例えばシングルクリックすると、複数の所定時間間隔ＴＩのいずれかを選択できる。
【００２９】
電源３６は、例えば、円板形のアルカリ電池又はリチウム乾電池である。電源３６は、前述したように、第２カウンターユニット３４ｂに収納される。
【００３０】
記憶部３８は、例えば、書き換え可能なフラッシュメモリで構成される。記憶部３８には、工場出荷時に、両軸受リール１０の大きさ及び用途に応じた標準の太さ及び長さの釣り糸の回転数と糸長との関係が少なくとも一つ記憶される。また、釣り人が学習処理によって得た、その他の太さ及び長さの釣り糸の回転数と糸長との関係が記憶され、魚が群れている棚位置の情報及び船縁停止位置の情報も記憶される。さらに報知動作の時間間隔である複数の所定時間間隔ＴＩが記憶される。所定時間間隔ＴＩは、例えば１分間に何回報知するかによって設定される。例えば、報知オフ、１５回（４秒間隔）、４０回（１．５秒間隔）、６０回（１秒間隔）、８０回（０．７５秒間隔）、１００回（０．６秒間隔）、１２０回（０．５秒間隔）、１５０回（０．４秒間隔）の８段階に所定時間間隔ＴＩを設定できる。所定時間間隔ＴＩの設定のとき、水深表示部２８には、例えば、「ＯＦＦ」、「ＬＯ」、「Ｓ−１」、「Ｓ−２」、「Ｓ−３」、「Ｓ−４」、「Ｓ−５」、「ＨＩ」の各所定時間間隔ＴＩに対応した８種類の数字及び文字のいずれかが表示される。設定が終わると水深表示に戻る。所定時間間隔ＴＩは初期値として、例えば報知オフが設定され、設定部３２によって、所定時間間隔ＴＩが設定されると、その都度更新され、記憶部３８に記憶される。第１実施形態では、設定部３２によって、水深表示部２８がオフされると、記憶部３８に記憶された所定時間間隔ＴＩは、報知オフにリセットされる。しかし、直前の所定時間間隔ＴＩを記憶部３８に保持するようにしてもよい。所定時間間隔ＴＩを除く上記の情報は、電源３６を交換しても保持される。
【００３１】
次に、制御部２０の制御動作の一例を、図４及び図５に示すフローチャートに基づいて説明する。なお、図４及び図５に示す制御動作は一例であり、本発明は、図４及び図５に開示された制御動作に限定されない。
【００３２】
図４において、ステップＳ１では、制御部２０は、釣りを始める前の糸巻径ＷＤを糸巻径算出部２４から読み出し、読み出した糸巻径ＷＤを初期糸巻径Ｗ１にセットする。初期糸巻径Ｗ１は後述する報知動作の補正処理に使用される。ステップＳ２では、制御部２０は、設定部３２が操作されて、報知動作の時間間隔である所定時間間隔ＴＩの設定操作が選択されたか否かを判断する。制御部２０は、所定時間間隔ＴＩの設定操作が選択されていないと判断すると、ステップＳ２からステップＳ３に処理を進める。ステップＳ３では、制御部２０は、回転検出部２２からの出力によって、スプール１６が糸巻き取り方向に回転しているか否かを判断する。制御部２０は、スプール１６が糸巻取方向に回転していないと判断すると、ステップＳ３からステップＳ４に処理を進める。ステップＳ４では、制御部２０は、回転検出部２２からの出力によって、スプール１６が糸繰り出し方向に回転しているか否かを判断する。制御部２０は、スプール１６が糸繰り出し方向に回転していないと判断すると、ステップＳ４からステップＳ５に処理を進める。ステップＳ５では、スプール１６が糸巻き取り方向及び糸繰り出し方向に回転していない状態であるので、ハンドル１４が停止している状態である。このため、制御部２０は、タイマＴがオフしているか否かを判断する。タイマＴは、ハンドル１４が所定時間Ｔ１停止しているか否かを判断するためのタイマである。所定時間Ｔ１は、例えば、報知動作をオフするために用いられ、例えば、１５秒でオフ（タイムアップ）する。制御部２０は、タイマＴがオフしていないと判断すると、ステップＳ５からステップＳ６に処理を進める。ステップＳ６では、制御部２０は、タイマＴがタイムアップしたか否か、すなわち、ハンドル１４が所定時間Ｔ１停止しているか否かを判断する。
【００３３】
制御部２０は、設定部３２の、例えばダブルクリック操作によって、所定時間間隔ＴＩの設定操作が選択されたと判断すると、ステップＳ２からステップＳ７に処理を進める。図７（ａ）及び図７（ｂ）に、報知動作の所定時間間隔ＴＩを変更した状態を模式的に示す。これによって、獲物の種類及び釣法などに応じて最適なハンドル１４の巻き上げ速度に合わせることができる。
【００３４】
ステップＳ７では、制御部２０は、例えば釣り人のシングルクリック操作に応じて設定部３２によって設定された複数の所定時間間隔ＴＩを水深表示部２８に順次表示させ、釣り人が選択した所定時間間隔ＴＩをセットし、ステップＳ８に処理を進める。なお、所定時間間隔ＴＩの表示は、ハンドル１４の回転開始及び直近の設定部３２の操作のいずれかから１秒経過すると、制御部２０によって水深表示に戻される。ステップＳ８では、制御部２０は、図５に示す報知動作を実行し、ステップＳ３に処理を進める。これによって、釣り人は、選択した所定時間間隔ＴＩを確認できる。制御部２０は、スプール１６の回転方向が糸巻き取り方向であると判断すると、ステップＳ３からステップＳ９に処理を進める。
【００３５】
ステップＳ９では、ハンドル１４が停止していないので、制御部２０は、タイマＴをオフし、ステップＳ１０に処理を進める。ステップＳ１０では、制御部２０は、水深表示部２８に仕掛けの水深の表示に代えて、巻き上げ速度算出部３０で算出された釣り糸の巻き上げ速度を表示する。制御部２０は、例えば、図３（ｂ）に示すように１０段階のいずれかの１桁の数値（例えば「６」）で水深表示部２８に表示させ、ステップＳ１１に処理を進める。ステップＳ１１では、制御部２０は図５に示す報知動作を実行し、ステップＳ２に処理を進める。
【００３６】
制御部２０は、スプール１６の回転方向が繰り出し方向であると判断すると、ステップＳ４からステップＳ１２に処理を進める。ステップＳ１２では、制御部２０は、報知動作を終了させないためにタイマＴをオフし、処理をステップＳ１３に進める。ステップＳ１３では、制御部２０は、例えば図３（ａ）に示すように、水深表示部２８に最大３桁の数値で仕掛けの水深を表示し、処理をステップＳ１４に進める。ステップＳ１４では、制御部２０は、図５に示す報知動作を実行し、ステップＳ２に処理を進める。
【００３７】
タイマＴがオフしていると制御部２０が判断すると、ステップＳ５からステップＳ１５に処理を進める。ステップＳ１５では、制御部２０は、タイマＴをオン（スタート）し、ハンドル１４の停止時間の計測を開始し、ステップＳ２に処理を進める。
【００３８】
タイマＴがすでにタイムアップしていると制御部２０が判断すると、制御部２０は、ステップＳ６からステップＳ１６に処理を進める。ステップＳ１６では、制御部２０は、報知動作を行っているか否かを示すフラグＦがオンしているか否かを判断する。フラグＦがオンしている場合には、ステップＳ１６からステップＳ１７に処理を進める。ステップＳ１７では、制御部２０はフラグＦをオフし、報知動作を停止させ、ステップＳ２に処理を進める。これによって、ハンドル１４が所定時間Ｔ１の間操作されないと、報知動作を終了する。タイマＴがタイムアップしていないと判断した場合及びフラグＦがオンしていないと判断した場合は、制御部２０は処理をステップＳ２に進める。
【００３９】
ステップＳ８、ステップＳ１１及びステップＳ１４の報知動作では、スプール１６の糸巻径ＷＤが大きくなると、スプール１回転あたり糸長が長くなるため、所定時間間隔ＴＩを変化させないで釣り糸を巻き上げると、巻き上げ速度が徐々に速くなる。これを防止するために、第１実施形態では、糸巻径ＷＤが大きくなるのに応じて、所定時間間隔ＴＩが長くなるように、所定時間間隔ＴＩを補正する。なお、この補正処理は、必ずしも行わなくてもよい。
【００４０】
報知動作を説明する図５のステップＳ２１では、制御部２０は、報知動作を行っているか否かを示すフラグＦがオン（セット）しているか否か判断する。制御部２０は、フラグＦオンしていないと判断するとステップＳ２１からステップＳ２２に処理を進める。ステップＳ２２では、制御部２０は、フラグＦをオンし、ステップＳ２３に処理を進める。フラグＦがすでにオンしていると制御部２０が判断すると、制御部２０は、ステップＳ２１からステップＳ２３に処理を進める。
【００４１】
ステップＳ２３では、制御部２０は、糸巻径算出部２４が算出した糸巻径ＷＤを読み出し、ステップＳ２４に処理を進める。ステップＳ２４では、制御部２０は、読み出した現在の糸巻径ＷＤを、釣りを始める前にセットした初期糸巻径Ｗ１で除算した値を、所定時間間隔ＴＩに乗算し、新たな所定時間間隔ＴＩにセットし、ステップＳ２５に処理を進める。これによって、所定時間間隔ＴＩが糸巻径ＷＤによって補正される。ステップＳ２５では、制御部２０は、タイマＡＴがオン（スタート）しているか否かを判断する。タイマＡＴは、所定時間間隔ＴＩでタイムアップするタイマである。
【００４２】
タイマＡＴがオンしていないと制御部２０が判断すると、制御部２０は、ステップＳ２５からステップＳ２６に処理を進める。ステップＳ２６では、制御部２０は、タイマＡＴをオンし、スタートさせ、ステップＳ２７に処理を進める。ステップＳ２７では、制御部２０は、ブザーの形態の報知部１８をＮ秒間だけ発音させ、１回目の報知動作を終了し、ステップＳ２７から図４のステップＳ２に処理を進める。Ｎ秒は、例えば、０．１秒から０．３秒の範囲である。
【００４３】
タイマＡＴがオンしていると制御部２０が判断すると、ステップＳ２５からステップＳ２８に処理を進める。ステップＳ２８では、制御部２０は、タイマＡＴがタイムアップしたか否かを判断する。タイマＡＴがタイムアップしたと判断すると、制御部２０は、ステップＳ２８からステップＳ２９に処理を進める。ステップＳ２９では、制御部２０は、ブザーの形態の報知部１８をＮ秒間だけ発音させ、２回目以降の報知動作を終了してステップＳ２９から図４のステップＳ８、ステップＳ１１、及びステップＳ１４のいずれか一つに処理を進め、次の報知動作を行う。
【００４４】
このような構成の第１実施形態の両軸受リール１０では、ハンドル１４の糸巻き取り動作に連動して、図７（ａ）に示すように、所定時間間隔ＴＩの報知動作が繰り返して行われる。このため、報知のための操作が不要になり、釣りを行う場合の所定時間間隔ＴＩの報知動作を容易に行えるようになる。
【００４５】
また、音によって所定時間間隔ＴＩを報知しているので、報知部１８を視認することなく音を聞くだけで、所定時間間隔ＴＩを認識できる。このため、釣り人が、例えば竿先を見ながら釣りを行え、所定時間間隔ＴＩを報知しても釣りのじゃまにならない。
【００４６】
＜第１実施形態の変形例＞
図６に示す変形例では、所定時間間隔ＴＩで第１実施形態と同様な音によって報知動作を行うとともに、所定時間間隔ＴＩの間で、第１実施形態の音に対して識別可能な音によって補助報知動作を行う。補助報知動作を含む報知動作は、補助報知動作を含まない通常の報知動作と、例えば設定部３２によって切り換え可能である。
【００４７】
図７（ｃ）及び図７（ｄ）に変形例での報知動作を模式的に示す。識別可能な音とは、音の音色、音量、音程、報知時間のいずれかを異ならせたものである。変形例では、所定時間間隔ＴＩの間での補助報知動作では、所定時間間隔ＴＩでの報知動作に比べて、一例として音量を弱く（小さく）している。また、図６では、所定時間間隔ＴＩの間で１回だけ補助報知動作を行っている。しかし所定時間間隔ＴＩの間での補助報知動作は、例えば、図７（ｄ）に示す２回及び図示しない３回などの複数回であってもよい。
【００４８】
補助報知動作を行う変形例を説明する図６のステップＳ３１では、制御部２０は、フラグＦがオン（セット）しているか否か判断する。制御部２０は、フラグＦオンしていないと判断するとステップＳ３１からステップＳ３２に処理を進める。ステップＳ３２では、制御部２０は、フラグＦをオンし、ステップＳ３３に処理を進める。フラグＦがすでにオンしていると制御部２０が判断すると、制御部２０は、ステップＳ３１からステップＳ３３に処理を進める。
【００４９】
ステップＳ３３では、糸巻径算出部２４が算出した糸巻径ＷＤを読み出し、ステップＳ３４に処理を進める。ステップＳ３４では、制御部２０は、読み出した現在の糸巻径ＷＤを、釣りを始める前にセットした初期糸巻径Ｗ１で除算した値を、所定時間間隔ＴＩに乗算し、新たな所定時間間隔ＴＩにセットし、ステップＳ３５に処理を進める。これによって、所定時間間隔ＴＩが糸巻径ＷＤによって補正される。ステップＳ３５では、制御部２０は、タイマＡＴ１がすでにオン（スタート）しているか否かを判断する。タイマＡＴ１は、報知動作を所定時間間隔ＴＩで行うためのタイマであり、所定時間間隔ＴＩでタイムアップするタイマである。
【００５０】
タイマＡＴ１がオンしていないと制御部２０が判断すると、制御部２０は、ステップＳ３５からステップＳ３６に処理を進める。ステップＳ３６では、制御部２０は、タイマＡＴ１をオンし、スタートさせ、ステップＳ３７に処理を進める。ステップＳ３７では、制御部２０は、報知部１８を、第１音量でＮ秒間だけブザーの形態の報知部１８を発音させ、１回目の報知動作を終了し、ステップＳ３７から図４のステップＳ８、ステップＳ１１、及びステップＳ１４のいずれか一つに処理を進める。Ｎ秒は、例えば、第１実施形態と同様に０．１秒から０．３秒の範囲である。
【００５１】
タイマＡＴ１がオンしていると制御部２０が判断すると、ステップＳ３５からステップＳ３８に処理を進める。ステップＳ３８では、制御部２０は、タイマＡＴ１が所定時間間隔ＴＩの半分の時間（０．５ＴＩ）になったか否かを判断する。タイマＡＴ１が所定時間間隔ＴＩの半分の時間（０．５ＴＩ）になっていないと制御部２０が判断した場合、ステップＳ３８から図４のステップＳ８、ステップＳ１１、及びステップＳ１４のいずれか一つに処理を進める。
【００５２】
タイマＡＴ１が所定時間間隔ＴＩの半分の時間（０．５ＴＩ）になったと制御部２０が判断すると、制御部２０は、ステップＳ３８からステップＳ３９に処理を進める。ステップＳ３９では、制御部２０は、タイマＡＴ２がオンしているか否かを判断する。タイマＡＴ２は、所定時間間隔ＴＩの間で報知動作と異なる音で補助報知動作を行うためのタイマである。変形例では、タイマＡＴ２は、タイマＡＴ１がオンしてから所定時間間隔ＴＩの半分の時間が経過するとオンする。タイマＡＴ２は、所定時間間隔ＴＩでタイムアップする。タイマＡＴ２がオンしていないと判断すると、制御部２０は、ステップＳ３９からステップＳ４０に処理を進め、タイマＡＴ２をオンし、ステップＳ４１に処理を進める。ステップＳ４１では、制御部２０は、第１音量よりも弱い第２音量でＮ秒間だけブザーの形態の報知部１８を発音させ、補助報知動作を実行し、ステップＳ４３に処理を進める。
【００５３】
タイマＡＴ２がオンしていると判断すると、制御部２０は、ステップＳ３９からステップＳ４２に処理を進める。ステップＳ４２では、タイマＡＴ２がタイムアップしたか否かを判断する。タイマＡＴ２がタイムアップしたと判断すると、制御部２０は、ステップＳ４２からステップＳ４１に処理を進め、報知部１８をＮ秒間だけ第２音量で発音させる。ステップＳ４３では、制御部２０は、タイマＡＴ１がタイムアップしたか否かを判断する。制御部２０は、タイマＡＴ１がタイムアップしたと判断すると、ステップＳ４３からステップＳ４４に処理を進める。ステップＳ４４では、制御部２０は、第１音量でＮ秒間だけブザーの形態の報知部１８を発音させ、ステップＳ４２から図４のステップＳ８、ステップＳ１１、及びステップＳ１４のいずれか一つに処理を進める。
【００５４】
このような変形例では、所定時間間隔ＴＩ報知動作と所定時間間隔ＴＩの半分の時間間隔（０．５ＴＩ）との補助報知動作とで、強弱二種類のブザー音が発音する。このため、ハンドル１４の回転が遅い釣りであっても、タイミングを合わせやすい。
【００５５】
＜第２実施形態＞
第１実施形態では、釣り用リールとして両軸受リール１０に本発明を適用したが、第２実施形態では、釣り用リールとして、図８に示すスピニングリール１１０に本発明を適用する。
【００５６】
スピニングリール１１０は、釣り糸を前方に繰り出し可能な釣り用リールである。スピニングリール１１０は、リール本体１１２と、ハンドル１１４と、スプール１１６と、ロータ１１７と、を備える。リール本体１１２は、後部をカバーする本体ガード１１３を有する。本体ガード１１３の後面には、ハンドル１１４の巻き上げ速度を一定に保つのを補助する報知ユニット１４０が設けられる。リール本体１１２は、ロータ１１７を前後に配置された軸Ｘ回りに回転自在に支持する。また、リール本体１１２は、スプール１１６を軸Ｘ方向に往復移動可能に支持する。ハンドル１１４は、軸Ｘと食い違う軸Ｙ回りに回転する。ハンドル１１４の回転は、図示しない駆動機構によって、３倍から７倍に増速されてロータ１１７に伝達される。ロータ１１７は、ハンドル１１４の回転に連動して回転する回転体の一例である。
【００５７】
また、スピニングリール１１０は、図９に示すように、電気的に報知動作可能な報知部１１８と、制御部１２０と、回転検出部１２２と、表示部１２８と、巻き上げ速度算出部１３０と、設定部１３２と、電源１３６と、記憶部１３８と、を備える。制御部１２０は、ハンドル１１４が糸巻き取り方向に回転すると、報知部１１８を所定時間間隔ＴＩで報知動作させる。報知部１１８と制御部１２０と表示部１２８と設定部１３２と電源１３６と記憶部１３８は、報知ユニット１４０に収納される。巻き上げ速度算出部１３０は、第１実施形態と同様に、制御部１２０においてソフトウェアによって実現される機能構成である。回転検出部１２２は、ロータ１１７の回転によって、ハンドル１１４の回転を検出する。回転検出部１２２は、図８に拡大して示すように、リール本体１１２の前部に設けられる。回転検出部１２２は、第１実施形態と同様な構成であり、ロータ１１７の内周面に設けられる磁石１２２ａを検出する。回転検出部１２２によって、ロータ１１７の回転方向及び巻き上げ速度を検出可能である。
【００５８】
表示部１２８は、第１実施形態と同様な、３桁の数値を表示可能なセグメント方式の液晶ディスプレイで構成される。表示部１２８は、リール本体１１２の後面から視認可能に報知ユニット１４０に配置される。設定部１３２は、第１実施形態と同様な押しボタンの操作部材を有する。設定部１３２は、所定時間間隔ＴＩを設定する。報知部１１８は第２実施形態では光の点滅によって所定時間間隔ＴＩを報知する。報知部１１８は、少なくとも一つの、例えば、発光ダイオード、又は、ＥＬ（Electroluminescence）素子等の発光素子が用いられる。第２実施形態では発光ダイオードが用いられる。発光ダイオードは、夜釣りでも視認しやすいように赤色又は白色で発光する。報知ユニット１４０内に収納されるその他の構成は第１実施形態と同様である。
【００５９】
このような構成のスピニングリール１１０では、ロータ１１７では、釣り糸は一定の半径で巻き取られるため、糸巻径ＷＤによる所定時間間隔ＴＩの補正は不要である。また、仕掛けの水深は表示しないため、表示の切り換えも不要であり、表示部１２８では、ロータ１１７の巻き上げ速度が常時表示される。その他の制御動作は、音に代えて光りが点滅する点を除いて第１実施形態の図４から図６制御動作と同様であるので説明を省略する。
【００６０】
このような構成のスピニングリール１１０でも、ハンドル１１４を糸巻き取り方向に回転すると、所定時間間隔ＴＩごとに報知部１１８が発光し、報知動作が行われる。また、第１実施形態の変形例のように補助報知動作を追加してもよい。
【００６１】
＜特徴＞
上記実施形態は、下記のように表現可能である。
【００６２】
（Ａ）両軸受リール１０（又はスピニングリール１１０）は、釣り糸を前方に繰り出し可能なリールである。両軸受リール１０（又はスピニングリール１１０）は、リール本体１２（又は１１２）と、ハンドル１４（又は１１４）と、回転体として糸巻用のスプール１６（又は回転体としてのロータ１１７及び糸巻用のスプール１１６）と、報知部１８（又は１１８）と、回転検出部２２（又は１２２）と、制御部２０（又は１２０）と、を備える。ハンドル１４（又は１１４）は、リール本体１２（又は１１２）に回転自在に設けられる。スプール１６（又はロータ１１７）は、ハンドル１４（又は１１４）の回転に連動して少なくとも糸巻き取り方向に回転する。報知部１８（又は１１８）は、所定時間間隔ＴＩを報知可能である。回転検出部２２（又は１２２）は、ハンドル１４（又は１１４）の糸巻き取り方向の回転を検出して信号を出力する。制御部２０（又は１２０）は、回転検出部２２（又は１２２）の出力を受けて、報知部１８（又は１１８）の所定時間間隔ＴＩの報知動作を開始させる。
【００６３】
この両軸受リール１０（又はスピニングリール１１０）では、ハンドル１４（又は１１４）が糸巻き取り方向に回転するとスプール１６（又はロータ１１７）が回転し、釣り糸がスプール１６（又は１１６）に巻き取られる。ハンドル１４（又は１１４）が糸巻き取り方向に回転すると、回転検出部２２（又は１２２）がハンドル１４（又は１１４）の糸巻き取り方向の回転を検出して信号を出力する。制御部２０（又は１２０）は、回転検出部２２（又は１２２）がハンドル１４（又は１１４）の糸巻き取り方向の回転を検出すると、報知部１８（又は１１８）の所定時間間隔の報知動作を開始させる。ここでは、ハンドル１４（又は１１４）の糸巻き取り動作に連動して、所定時間間隔ＴＩの報知動作が開始されるので、報知開始のための操作が不要になり、釣りを行う場合の所定時間間隔ＴＩの報知動作を容易に開始できるようになる。
【００６４】
（Ｂ）釣り用リールは、両軸受リール１０であり、回転体は、スプール１６であってもよい。この場合には、両軸受リール１０において、釣りを行う場合の所定時間間隔ＴＩの報知動作を容易に開始できるようになる。
【００６５】
（Ｃ）釣り用リールは、スピニングリール１１０であり、回転体は、スプール１１６に釣り糸を巻き付け可能なロータ１１７であってもよい。この場合には、スピニングリール１１０において、釣りを行う場合の所定時間間隔ＴＩの報知動作を容易に開始できるようになる。
【００６６】
（Ｄ）報知部１８は、音による報知動作を行い、制御部２０は、ハンドル１４が回転すると報知部１８を所定時間間隔ＴＩで発音を開始させてもよい。この場合には、報知部１８を視認することなく音を聞くだけで所定時間間隔ＴＩを認識できる。このため、釣り人が、例えば竿先を見ながら釣りを行え、所定時間間隔を報知しても釣りのじゃまにならない。
【００６７】
（Ｅ）報知部１１８は、光による報知動作を行い、制御部１２０は、ハンドル１１４が回転すると報知部１１８を所定時間間隔ＴＩで発光を開始させてもよい。この場合には、周囲が騒がしい状況であっても釣り人が釣りをしながら所定時間間隔ＴＩを認識できる。
【００６８】
（Ｆ）両軸受リール１０は、回転検出部２２によって検出されたスプール１６の所定位置からの回転数によってスプール１６の糸巻径ＷＤを算出する糸巻径算出部２４と、をさらに備えてもよい。制御部２０は、算出された糸巻径ＷＤに応じて、所定時間間隔ＴＩを変更してもよい。この場合には、糸巻径ＷＤが変化して１回転あたりの釣り糸の長さが変化しても、それに応じて所定時間間隔ＴＩが変化するので、釣り糸の巻き上げ速度を一定に保ちやすくなる。
【００６９】
（Ｇ）両軸受リール１０は、釣り糸の先端の水深を表示可能な水深表示部２８と、糸巻径算出部２４で算出された糸巻径ＷＤの時間変化によって、釣り糸の巻き上げ速度を算出する巻き上げ速度算出部３０をさらに備えてもよい。スプール１６が糸巻き取り方向に回転するとき、制御部２０は、水深表示部２８に、水深の表示に代えて巻き上げ速度を表示してもよい。この場合には、糸巻取方向にスプール１６が回転しているとき、巻き上げ速度が表示されるので、巻き上げ速度の適否を正確に判断できる。
【００７０】
（Ｈ）制御部２０は、所定時間間隔ＴＩを複数に分割した補助時間間隔で、報知部１８を報知動作と異なる補助報知動作させてもよい。この場合には、巻き上げ速度が遅く所定時間間隔ＴＩが長くなっても、補助時間間隔を入れることによって報知間隔が短くなる。このため、タイミングを取りやすくなる。
【００７１】
（Ｉ）補助報知動作は、報知動作よりも弱くてもよい。この場合には報知動作と補助報知動作とを容易に識別できるので、タイミングをさらに取りやすくなる。
【００７２】
（Ｊ）両軸受リール１０（又はスピニングリール１１０）は、所定時間間隔ＴＩを設定可能な設定部３２（又は１３２）をさらに備えてもよい。この場合に獲物の種類及び釣りの仕方に応じて巻き上げ速度を調整できる。
【００７３】
（Ｋ）制御部２０（又は１２０）は、報知部１８（又は１１８）を報知動作させた状態でハンドル１４（又は１１４）が所定時間以上回転停止したとき、報知動作を停止させてもよい。この場合には、報知操作による電力消費を抑えることができる。
【００７４】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００７５】
（ａ）上記実施形態では、ハンドル１４（又は１１４）の回転を直接検出するのではなく、スプール１６又はロータ１１７の回転によってハンドル１４の回転を検出したが、本発明が、これに限定されない。ハンドル１４（又１１４）の回転を直接検出してもよい。ただし、ハンドル１４（又１１４）の回転を直接検出すると、ドラグ機構が作動すると、ハンドル１４（又１１４）の回転に対する巻き上げ長さが変化する。このため、巻き上げ速度を維持する場合にハンドル１４（又１１４）は、スプール１６の回転によってハンドル１４の回転を検出するのが好ましい。
【００７６】
（ｂ）上記実施形態では、音及び光による報知を開示したが、本発明はこれに限定されない。音、光及び振動の少なくともいずれかで報知してもよい。光の場合、例えば、水深表示部２８（又は表示部１２８）の液晶ディスプレイのバックライトを所定時間間隔ＴＩで点滅させて報知してもよい。振動の場合は、例えば通信端末に用いられる小型のバイブレータを所定時間間隔ＴＩで動作させて報知するようにしてもよい。
【００７７】
（ｃ）両軸受リール及びスピニングリールを例に本発明を説明したが、本発明はこれに限定されない。片軸受リール及びスピンキャストリール、手巻き操作可能な電動リール等のハンドルを手で回す全ての釣り用リールに本発明を適用できる。
【００７８】
（ｄ）上記実施形態では報知部をリール本体に設けたが、リール本体から分離可能に構成したり、独立させてもよい。この場合、リール本体に設けた回転検出部からの信号を無線等で外部の制御部に出力してもよい。また、制御部からの報知命令を報知部に無線で出力してもよい。
【００７９】
（ｅ）上記実施形態では所定時間間隔をあらかじめ記憶された複数の時間間隔から選択可能にしたが、ハンドル操作によって所定時間間隔を設定し記憶するようにしてもよい。例えば、設定モードにおいて、スプールやハンドルが所定数回転するごとに発音し、ボタン操作される直前１０〜２０秒程度の平均時間間隔を記憶するようにしてもよい。
【００８０】
（ｆ）上記実施形態では発音による報知としてブザー音を使用したが、リズムとして把握できるものであればＰＣＭ音源などの音源によってメロディを奏でてもよい。
【符号の説明】
【００８１】
１０    両軸受リール
１２，１１２    リール本体
１４，１１４    ハンドル
１６、１１６    スプール
１８，１１８    報知部
２０，１２０    制御部
２２，１２２    回転検出部
２４    糸巻径算出部
２６    水深算出部
２８    水深表示部
３０，１３０    巻き上げ速度算出部
３２，１３２    設定部
１１７    ロータ
ＴＩ    所定時間間隔
ＷＤ    糸巻径
【図１】
0006433791.tif 000002
【図２】
0006433791.tif 000003
【図３】
0006433791.tif 000004
【図４】
0006433791.tif 000005
【図５】
0006433791.tif 000006
【図６】
0006433791.tif 000007
【図７】
0006433791.tif 000008
【図８】
0006433791.tif 000009
【図９】
0006433791.tif 000010